(57)【要約】【課題】ゴルフクラブのカバーを確実に行いつつ、そのカバーのセットと解除が簡単に行えるようにする。【解決手段】表面にヘッドの挿入口１を有した袋状のヘッドカバー１０をクッション性の部材で形成し、挿入口１の周縁に、薄手の銅板１４を埋設した長手板体のシャフトカバー２０の長手方向一端縁１１を縫着する。その縫着姿勢として、ヘッドカバー１０にヘッドＨを収納すると、シャフトＳがシャフトカバー２０の幅方向中心を通過するようにする。ヘッドＨをヘッドカバー１０に収納し、シャフトＳは、それが仕切る両側のシャフトカバー２０をシャフトＳを内側にして折り曲げて挟んでカバーするが、その状態を保つのに、また、解除するのに、シャフトカバー２０内の銅板１４の塑性を利用するので、面ファスナやボタンの場合のような煩わしさが無く、シャフトＳに傷がつくおそれも無い。【選択図】　図３
2004057259.tif 000002
【特許請求の範囲】
【請求項１】
ゴルフクラブのヘッドを覆うヘッドカバーと、ヘッドに連なるシャフトの一部を覆うシャフトカバーが一体に形成されたゴルフクラブの保護カバーにおいて、
前記シャフトカバーが塑性部材をクッション性の被覆材で覆って板体に形成されており、前記ヘッドカバーにクラブのヘッドを収納すると、ヘッドから延伸してきているシャフトが前記板体の板面内を通過するような姿勢でヘッドカバーに一体化されており、そのシャフトで仕切られた前記板体の両側の面を、シャフトを内側に挟んで折り曲げて、前記塑性部材の塑性によってその状態を固定してシャフトをカバーするようになっていることを特徴とするゴルフクラブの保護カバー。
【請求項２】
上記塑性部材が形状記憶部材である請求項１に記載のゴルフクラブの保護カバー。
【請求項３】
上記形状記憶部材が形状記憶樹脂である請求項２に記載のゴルフクラブの保護カバー。
【発明の詳細な説明】
【０００１】
【発明の属する技術分野】
この発明は、キャディーバッグに収納して搬送するゴルフクラブが、キャディーバッグ内で互いに衝突して損傷するのを防ぐためのゴルフクラブの保護カバーに関する。
【０００２】
【従来の技術】
ゴルフクラブはキャディーバッグに収納して自宅とゴルフ場の間を搬送するが、ゴルフクラブを裸のままキャディーバッグに収納して搬送すると、搬送中、バッグの振動でクラブ同士がぶつかり合って傷が付く。これを防ぐため、ゴルフクラブ単体に装着する種々の保護カバーが市販されている。
【０００３】
特に、近年では、カーボンシャフトのクラブが多数出回っており、カーボンシャフトは傷が付き易いので、前記保護カバーは、ヘッドの部分だけでなく、ヘッドに連なるシャフトの部分も併せて保護するような形態になっている。
【０００４】
そのような形態のゴルフクラブの保護カバーの一例として、特開２０００−２４５８８２号公報には、ゴルフクラブのヘッドを保護するヘッドカバーと、ヘッドに連なるシャフトの一部を保護するシャフトカバーとが一体に形成されたゴルフクラブの保護カバーが開示されている。
【０００５】
この発明の保護カバーは、一端が閉塞された筒状を成し、その閉塞端がヘッドの収納部となっており、他端の開口からクラブのヘッドを挿入して、前記閉塞端（ヘッドカバー部）に当接させると、残りの筒状部にシャフトの保護すべき範囲の部分が収納されて、この筒状部がシャフトカバー部となっている。そのシャフトカバー部の筒状外面に、シャフトの長手方向に平行に一対の面ファスナが設けられており、クラブを収納した状態で、その対の面ファスナ同士を係合させることにより、筒状部が折り畳まれて、ヘッドとシャフトの一部がカバーされるようになっている。
【０００６】
また、特開２００２−０９５７７９号公報にも、ヘッドカバーとシャフトカバーとが一体化され、シャフトカバーの開閉によって、クラブの出し入れを行うようになったものについて、そのシャフトカバーを閉じて固定するために、シャフトカバーに面ファスナを設けたものが開示されている。
【０００７】
【発明が解決しようとする課題】
しかしながら、上記のものは、共に、シャフトカバー部を閉じて固定するのに面ファスナを用いているので、面ファスナは簡単に係合できるが、対のもの同士の係合面を合わせなければならないので、煩わしい。また、面ファスナは、一度、その係合面に傷が付いたりして係合突起が綻びると、その後、しばらくは固着機能を満たしていても、使用していく内に段々とその綻びが拡大して固着力が低下し、見栄えも悪くなり、この状態は修復不能であるので、ファッション性の高いゴルフ用品としては、カバー全体が使い物にならなくなってしまう。
【０００８】
さらに、上記と同じような構造で、シャフトカバーを閉じて固定する手段として、ファスナに代えて、ボタンを用いて固定するものがあるが、ボタンの場合、面ファスナのように壊れ易いということはないが、シャフトカバーを開放してシャフトを出し入れする際、シャフトがそのボタンの突起に擦れて、傷が付くことがある。また、このボタンによるシャフトカバーの固定も、複数のボタンの対応するもの同士をいちいち留めていかねばならないので、面ファスナ以上の煩わしさがある。
【０００９】
そこで、この発明の課題は、カバーの開閉とその固定が簡単に行えつつ、ゴルフクラブのヘッドとそれに連なるシャフトの保護が効果的に行えるようにすることにある。
【００１０】
【課題を解決するための手段】
上記課題を解決するために、この発明は新規なゴルフクラブの保護カバーを提供するものであり、その保護カバーとして、前記シャフトカバーが塑性部材をクッション性の被覆材で覆って板体に形成されており、前記ヘッドカバーにクラブのヘッドを収納すると、ヘッドから延伸してきているシャフトが前記板体の板面内を通過するような姿勢でヘッドカバーに一体化されており、そのシャフトで仕切られた前記板体の両側の面を、シャフトを内側に挟んで折り曲げて、前記塑性部材の塑性によってその状態を固定してシャフトをカバーするようになっている構成のものとしたのである。
【００１１】
この保護カバーでは、先ず、ヘッドをヘッドカバーに収納すると、上記したように、シャフトがシャフトカバーの板面を通過するので、そのシャフトが仕切るシャフトカバーの両側の部分をシャフトを内側にして折り曲げる。
【００１２】
そうすると、シャフトは、その両側のシャフトカバーに挟まれるが、シャフトカバーは、その内部に塑性部材が埋設されているので、その塑性によって、折り曲げた後、力を抜いても、その状態が保たれるので、シャフトはそのまま保護される。また、カバーを解除する際は、その塑性に抗してカバーを開くだけで、簡単に解除することができる。
【００１３】
上記構成において、上記塑性部材に形状記憶部材を用いれば、その形状記憶特性によって、最初に、シャフトカバーのシャフトを挟み込む形状を決めておけば、その後は、その形状が常に一定しているので、通常の塑性部材の場合に比べて、シャフトのカバーのセットと解除がワンタッチで簡単に行える。
【００１４】
さらに、その形状記憶部材に形状記憶樹脂を用いれば、保護カバー全体の軽量化を図ることができ、製作費も安価で済む。
【００１５】
【発明の実施の形態】
以下、図を参照してこの発明の実施の形態を説明する。図１は、実施形態の保護カバーＣの単体の斜視図、また、図２は、そのカバーＣのシャフトカバー２０を平面状に展開した状態を示したものである。なお、この実施形態では、クラブとしてウッドを採り挙げ、以下の図もクラブの部分はウッドを示している。
【００１６】
図１に示すこの保護カバーＣは、ヘッドを保護するヘッドカバー１０と、ヘッドに連なるシャフトの一部を保護するシャフトカバー２０が一体に形成されたものである。ヘッドカバー１０は、ヘッドの略全面を覆う形の袋状を成し、その袋の表面にヘッドの挿入口１が設けられている。この袋は、二枚の合成繊維２を縫い合わせて形成し、内部を空気層にしてクッション性を持たせている。
【００１７】
他方、シャフトカバー２０は、図２に示すように、図１の折り曲がった状態からそれを平面状に展開すると、長手の板体となっており、その長手方向の一方の端縁１１を前記ヘッドカバー１０のヘッドの挿入口１の周縁に縫着して一体化したものである。この板体は、被覆材として、外側に合成皮革１２を用い、シャフトＳに触れる内側の面に合成繊維１３を用い、両者の間に、芯材として、長手板状の薄手の銅板１４を埋設したものである。従って、このシャフトカバー２０は、折り曲げ自在で、その埋設した銅板１４の塑性によって、折り曲げた状態、あるいは、開いた状態で固定することができる。
【００１８】
また、このシャフトカバー２０は、図２に示すように、ヘッドカバー１０内にヘッドＨを収納すると、ヘッドＨから延伸しているシャフトＳが板体の幅方向中心を通過するような姿勢でヘッドカバー１０のヘッドの挿入口１の周縁に縫着されており、他端に向かうにつれて幅が小さくなっている。他端に向かうにつれて幅を小さくしたのは、次に示すように、この部分でシャフトＳをカバーするので、余分な面を削除してキャディバッグ内での占有空間を小さくしようとしたためである。そして、他端の外形を曲線にして、デザイン上、やわらか味のあるものにしている。以上が実施形態の保護カバーＣの構成である。次に、その使用方法を説明する。図３はその使用状態を示したものである。
【００１９】
先ず、図３（ａ）に示すように、図２の状態からシャフトカバー２０を、シャフトＳの通過位置に沿って少し折り曲げて、ヘッドカバー１０のヘッドの挿入口１がヘッドＨを挿入できるような形（大きさ）にして、そこからヘッドＨを収納する。
【００２０】
そうすると、前記したように、そのヘッドＨから延伸しているシャフトＳの部分が、自然とシャフトカバー２０の板面の幅方向中心に沿って走るようになっているので、その状態で、（ｂ）に示すように、そのシャフトＳで仕切られる両側の部分を、シャフトＳを内側にして折り曲げる。そうすると、シャフトＳが両側のシャフトカバー２０に挟まれて、その内部に保護されるようになるが、シャフトカバー２０は芯材として銅板１４が埋設されているので、折り曲げた後、力を抜いても、その塑性によってそのままの状態を保つ。
【００２１】
カバーＣを外すときは、上記と逆で、シャフトカバー２０を開いてシャフトＳを露出させると、それに連動して、ヘッドカバー１０のヘッドの挿入口１もヘッドＨを抜き出すことのできる大きさに広がるので、シャフトＳの取り出しとともに、ヘッドＨのヘッドカバー１０からの抜き出しも可能となり、クラブをカバーＣから外すことができる。
【００２２】
以上のように、この実施形態の保護カバーＣによれば、シャフトカバー２０のカバー状態（折り曲げ状態）を固定するのに、シャフトカバー２０内に埋設した銅板１４の塑性を利用するので、面ファスナやボタンの場合のような煩わしさが全くなく、カバーＣを外す時も、銅板１４の塑性に抗してシャフトカバー２０開くだけで、簡単に外すことができる。また、シャフトカバーの表面にボタンを取り付けたもののように、そのボタンにシャフトが擦れて、シャフトに傷が付くといったおそれも無い。
【００２３】
この実施形態では、そのシャフトカバー２０の芯材の塑性部材として銅板１４を用いたが、それに代えて、形状記憶合金や形状記憶樹脂等の形状記憶部材を用いることもできる。そうすれば、その部材の形状記憶特性によって、最初に、シャフトカバー２０のシャフトＳを挟み込む形状を決めておけば、その後は、その一定形状が常に現出できるので、シャフトカバー２０をワンタッチで折り曲げるだけで、シャフトＳを簡単にカバーすることができる。
【００２４】
また、この形状記憶部材を用いれば、その記憶特性による開閉時の形状が強度的にも安定したものになるので、この実施形態の銅板１４のように、シャフトカバー２０の長手方向の全てに渡る一枚板のような形状ではなく、図４に示すような、線材を繋ぐような形状にすれば、材料の節約とカバーＣの軽量化を図ることができる。
【００２５】
特に、その形状記憶部材として、形状記憶樹脂を用いれば、図４に示すような形状が簡単に成形できるとともに、カバーＣのさらなる軽量化を図ることができる。また、形状記憶合金に比して、材料費が数十分の一で済む。
【００２６】
なお、この実施形態では、保護対象のクラブとしてウッドを採り挙げたが、この発明は、ウッドに限らず、アイアンやパターにも適用できるものである。これらのクラブもまた、クラブ同士の接触により傷が付き、傷が付くと、それが原因となってシャフトが折れるおそれがあり、それを防ぐために、保護カバーを必要とするからである。
【００２７】
【発明の効果】
以上説明したように、上記のように構成したこの発明によれば、ゴルフクラブのカバーを確実に行いつつ、そのセットと解除が、板体に形成されたシャフトカバーをシャフトに沿って折り曲げるだけ、といった簡単な動作で行える、という効果がある。
【図面の簡単な説明】
【図１】（ａ）に実施形態の全体図を示し、（ｂ）に（ａ）の矢視図（矢視Ａ）を示したものである。
【図２】実施形態のシャフトカバー部を展開した状態の図である。
【図３】（ａ）、（ｂ）の順で、実施形態の使用方法を示した図である。
【図４】他の実施形態を示す図である。
【符号の説明】
１　ヘッドの挿入口
２　合成繊維
１０　ヘッドカバー
１２　合成皮革
１３　合成繊維
１４　銅板
２０　シャフトカバー
Ｃ　保護カバー
Ｈ　ヘッド
Ｓ　シャフト
【図１】
2004057259.tif 000003
【図２】
2004057259.tif 000004
【図３】
2004057259.tif 000005
【図４】
2004057259.tif 000006